(57)【要約】【課題】接床体をゆっくりと下降移動させて、接床体が戸パネルに引摺られながら接床するのを解消できる戸パネルの隙間遮蔽装置を提供する。【解決手段】隙間遮蔽装置は、ガイド枠８と、接床体９と、接床体９を支持する昇降構造１０と、トリガー機構１１を備えている。昇降構造１０は、接床体９を接床位置と離床位置の間で昇降操作する昇降機構２３と、接床体９を接床位置へ向かって下降付勢する接床ばね２４と、昇降機構２３の下降動作を制動するダンパー２５を備えている。トリガー機構１１は、接床体９の下降移動を規制する待機位置と、接床体９の下降移動を許す解除位置とに切換え可能に構成する。トリガー機構１１が解除位置に切換えられると、昇降機構２３がダンパー２５の制動力を受けながら下方姿勢に向かって下降し、接床体９を離床位置から接床位置に移動させる。【選択図】図１
2019105028.tif 000002
【特許請求の範囲】
【請求項１】
床面（Ｆ）と対向する戸パネル（２）の下端部に配置されるガイド枠（８）と、ガイド枠（８）の内部に配置されて、床面（Ｆ）に接する接床位置と、床面（Ｆ）から離れる離床位置との間で昇降移動される接床体（９）と、接床体（９）を支持して該接床体（９）を昇降移動させる昇降構造（１０）と、接床体（９）の下降移動を規制するトリガー機構（１１）と、接床体（９）の接床タイミングを遅らせる遅延構造を備えており、
昇降構造（１０）は、接床体（９）が接床位置となる下方姿勢と、接床体（９）が離床位置となる上方姿勢との間で変位する昇降機構（２３）と、昇降機構（２３）を下方姿勢に向かって付勢する接床ばね（２４）とを備え、
トリガー機構（１１）は、接床体（９）の下降移動を規制する待機位置と、接床体（９）の下降移動を許す解除位置とに切換え可能に構成されており、
トリガー機構（１１）が待機位置から解除位置に切換えられた状態では、昇降機構（２３）が上方姿勢から下降を開始でき、
待機位置にあったトリガー機構（１１）が解除位置側へ切換え操作され始めてから、接床体（９）が接床位置へ向かって下降移動する間に遅延構造が作動して、接床体（９）の接床タイミングを遅らせていることを特徴とする戸パネルの隙間遮蔽装置。
【請求項２】
トリガー機構（１１）に遅延構造が設けられており、
遅延構造は、トリガー機構（１１）が待機位置から解除位置に切換えられるときの切換え動作を受けてスライド移動する第２作動体（７７）と第１作動体（６１）を備えており、
第２作動体（７７）と第１作動体（６１）は、ピン（８５）と長穴（８３）を介して相対スライド可能に連結されており、
トリガー機構（１１）が待機位置から解除位置に切換え操作されると、第２作動体（７７）が第１作動体（６１）に対して空走して、昇降機構（２３）の下降開始タイミングを遅延させている請求項１に記載の戸パネルの隙間遮蔽装置。
【請求項３】
昇降機構（２３）に遅延構造が設けられており、
遅延構造は、昇降機構（２３）の下降移動を制動するダンパー（２５）で構成されており、
トリガー機構（１１）が待機位置から解除位置に切換えられて、昇降機構（２３）が上方姿勢から下降移動する間に、昇降機構（２３）の下降移動をダンパー（２５）で制動して、接床体（９）の接床タイミングを遅らせている請求項１、または２に記載の戸パネルの隙間遮蔽装置。
【請求項４】
昇降機構（２３）は、ガイド枠（８）に支持されて接床体（９）を昇降操作する平行リンク機構であり、
平行リンク機構は、ガイド枠（８）で左右スライド自在に案内される一対のスライダー（２６・２７）と、一対のスライダー（２６・２７）を連結する上リンク（２８）と、上端が各スライダー（２６・２７）に連結される一対の傾斜リンク（２９・２９）と、各傾斜リンク（２９）の下端同士を連結する下リンク（３０）とで構成されており、
平行リンク機構に昇降ローラー（４１）を備えたローラーアーム（４０）が固定されており、
ガイド枠（８）に固定したホルダー体（５０）に縦長のガイド溝（５６）が形成されており、昇降ローラー（４１）が前記ガイド溝（５６）で昇降移動可能に案内支持されている請求項１から３のいずれかひとつに記載の戸パネルの隙間遮蔽装置。
【請求項５】
ダンパー（２５）の一端は、ガイド枠（８）に固定されたホルダー体（５０）に支持され、
昇降機構（２３）を挟んで、トリガー機構（１１）と、ホルダー体（５０）とが配置され、
ホルダー体（５０）と昇降機構（２３）の間に、接床ばね（２４）とダンパー（２５）とが配置される請求項１から４のいずれかひとつに記載の戸パネルの隙間遮蔽装置。
【請求項６】
接床体（９）が、上向きに開口する条材状の接床枠（１５）と、接床枠（１５）の下部に装着されるシール体（１６）を備えていて、平行リンク機構（２３）に連結した吊持ピース（４３）で支持され、
接床枠（１５）とシール体（１６）は、接床枠（１５）に設けた装着溝（１７）とシール体（１６）に設けた装着リブ（２１）を係合して一体化され、
接床枠（１５）の内面には装着溝（１７）を囲む溝壁（１７ａ）が突設され、
吊持ピース（４３）の前後に設けた連結溝（４７）と前記溝壁（１７ａ）を係合連結して、接床体（９）が平行リンク機構で支持される請求項２から５のいずれかひとつに記載の戸パネルの隙間遮蔽装置。
【請求項７】
トリガー機構（１１）がリンク保持機構（１１Ａ）およびリンク解除機構（１１Ｂ）と、両機構（１１Ａ・１１Ｂ）の間に設けられる遅延構造で構成され、
リンク保持機構（１１Ａ）は、平行リンク機構（２３）を下降不能に待機保持する待機位置と、平行リンク機構（２３）の下降を許す解除位置とに切換え可能に構成され、
リンク解除機構（１１Ｂ）は、戸パネル（２）が閉じ操作されたことを検知する閉じ検知体（７８）を備え、
リンク解除機構（１１Ｂ）は、閉じ検知体（７８）の作動に応じて、リンク保持機構（１１Ａ）を待機位置に保持する第１状態と、リンク保持機構（１１Ａ）を解除位置に切換える第２状態とに切換え可能に構成され、
戸パネル（２）が開放姿勢にあるとき、リンク解除機構（１１Ｂ）は第１状態にあり、
戸パネル（２）が閉じ操作されたことが閉じ検知体（７８）で検知されると、リンク解除機構（１１Ｂ）が第２状態に切換ってリンク保持機構（１１Ａ）を解除位置に切換えており、
リンク解除機構（１１Ｂ）が第１状態から第２状態に向かって切換え動作を開始するのに連動して遅延構造が作動して、リンク保持機構（１１Ａ）が第２状態に切換わるタイミングを遅延させ、昇降機構（２３）の下降開始タイミングを遅延させている請求項２から６のいずれかひとつに記載の戸パネルの隙間遮蔽装置。
【請求項８】
リンク保持機構（１１Ａ）は、ガイド枠（８）に固定されるトリガーベース（６０）と、上リンク（２８）に連結されて同リンク（２８）と同行スライドする第１スライド枠（６１）と、同枠（６１）に固定される係合ピン（６２）と、トリガーベース（６０）で揺動可能に支持されて、係合ピン（６２）に係脱するトリガー爪（６３）とを備え、
リンク解除機構（１１Ｂ）は、ガイド枠（８）でスライド自在に支持される第２スライド枠（７７）と、第２スライド枠（７７）に装着されて戸パネル（２）の側端面で出没する閉じ検知体（７８）と、第２スライド枠（７７）とトリガーベース（６０）の間に配置されて、第２スライド枠（７７）を復帰付勢する復帰ばね（７９）とを備え、
戸パネル（２）が開放姿勢にあるとき、リンク保持機構（１１Ａ）は、トリガー爪（６３）が第１スライド枠（６１）の係合ピン（６２）と係合して、待機位置に保持され、
戸パネル（２）が閉じ操作されたことが検知体（７８）で検知されると、第２スライド枠（７７）が第１スライド枠（６１）に対して空走したのち、第２スライド枠（７７）の起動腕（８４）がトリガー爪（６３）を揺動操作してトリガー爪（６３）と係合ピン（６２）の係合を解除し、リンク保持機構（１１Ａ）が解除位置に切換えられる請求項７に記載の戸パネルの隙間遮蔽装置。
【請求項９】
第１スライド枠（６１）と第２スライド枠（７７）が、ピン（８５）と長穴（８３）を介して相対スライド可能に連結され、
閉じ検知体（７８）が退入移動を開始してから、第２スライド枠（７７）の起動腕（８４）がトリガー爪（６３）に接当するまでの間、第２スライド枠（７７）は第１スライド枠（６１）に対して空走するようになっており、
閉じ検知体（７８）の退入ストロークの終端において、第２スライド枠（７７）の起動腕（８４）がトリガー爪（６３）を揺動操作することで、トリガー爪（６３）と係合ピン（６２）の係合を解除する請求項８に記載の戸パネルの隙間遮蔽装置。
【請求項１０】
トリガー機構（１１）は、接床体（９）の一側に固定される連結体（９５）と、戸パネル（２）に設けられる手動切換え機構（９６）と、手動切換え機構（９６）の切換え動作を連結体（９５）に伝える伝動体（９７）とを備え、
手動切換え機構（９６）は、連結体（９５）を下降不能に待機保持する第１状態と、連結体（９５）の下降を許す第２状態に切換え可能に構成される操作具（１０６）と、操作具（１０６）を第１状態と第２状態において位置保持する節度機構とを備え、
操作具（１０６）を第１状態に切換えた状態では、接床体（９）が離床位置に位置保持され、
操作具（１０６）を第２状態に切換えた状態では、接床体（９）の下降移動が開始される請求項１から６のいずれかひとつに記載の戸パネルの隙間遮蔽装置。
【請求項１１】
手動切換え機構（９６）が、戸パネル（２）に装着されるケース（１０５）と、ケース（１０５）で往復変位可能に支持される操作具（１０６）とを備え、
節度機構が、節度凹部（１０７）と、節度凹部（１０７）に落込み係合する節度突起（１０８）と、節度突起（１０８）を係合付勢する節度ばね（１０９）を備え、
ケース（１０５）と操作具（１０６）のいずれか一方に節度凹部（１０７）が、他方に節度突起（１０８）と節度ばね（１０９）とが設けられる請求項１０に記載の戸パネルの隙間遮蔽装置。
【請求項１２】
手動切換え機構（９６）が、戸パネル（２）に装着されるケース（１０５）と、ケース（１０５）で往復揺動可能に支持されて、第１状態と第２状態の間で切換え可能な操作具（１０６）と、ケース（１０５）で昇降可能に支持されるスライド体（１１８）とを備え、
操作具（１０６）は、戸パネル（２）の外面に配置される操作摘み（１１９）と、ケース（１０５）の内部に配置されて、操作摘み（１１９）の往復揺動に連動してスライド体（１１８）を昇降操作する操作レバー（１２０）を備えており、
スライド体（１１８）は伝動体（９７）に連結されており、
節度機構が、ケース（１０５）と操作レバー（１２０）との間に配置される捻じりコイルばねからなるキックばね（１３３）で構成してある請求項１０に記載の戸パネルの隙間遮蔽装置。
【請求項１３】
戸パネル（２）に手動切換え機構（９６）の切換え動作を規制する開放規制構造が設けられ、
開放規制機構は、戸パネル（２）の揺動先端側の側端で出没する出没体（１１２）と、出没体（１１２）を押出し付勢するばね（１１３）と、出没体（１１２）の側に形成される可動規制部（１１４）と、可動規制部（１１４）に対応して伝動体（９７）に形成される固定規制部（１１５）とを備えており、
戸パネル（２）が開放された状態における出没体（１１２）は、ばね（１１３）で押出し操作されて可動規制部（１１４）と固定規制部（１１５）が係合して、操作具（１０６）が第２状態に切換え操作されるのを規制している請求項１０から１２のいずれかひとつに記載の戸パネルの隙間遮蔽装置。
【請求項１４】
トリガー機構（１１）が、自動切換え方式のトリガー構造と、手動切換え方式のトリガー構造を備えており、
自動切換え方式のトリガー構造は、リンク保持機構（１１Ａ）とリンク解除機構（１１Ｂ）を備えており、
手動切換え方式のトリガー構造は、接床体（９）の一側に固定される連結体（９５）と、戸パネル（２）に設けられる手動切換え機構（９６）と、手動切換え機構（９６）の切換え動作を連結体（９５）に伝える伝動体（９７）とを備えている請求項２から６に記載の戸パネルの隙間遮蔽装置。
【発明の詳細な説明】
【技術分野】
【０００１】
本発明は、戸パネルと床面の間の隙間を遮蔽して、音漏れや光漏れを防止する戸パネルの隙間遮蔽装置に関する。本発明に係る隙間遮蔽装置は、開き戸および引き戸の戸パネルや、間仕切装置の間仕切パネル（戸パネル）に適用することができる。
【背景技術】
【０００２】
この種の隙間遮蔽装置は、例えば特許文献１（発明の名称：ドアボトムの密封装置）に開示されている。特許文献１の密封装置は、開放時のドアの吊元側の側面から突出する出没子と、出没子の退入動作を受けてスライド移動するスライドピースと、同ピースのスライド移動に応じて湾曲変形する一対の板ばねと、両板ばねで支持されるシール枠を備えている。下向きに開口するシール枠の内部には吸音材が収容され、シール枠の上下にはそれぞれ一対のシールリップが設けられている。ドアを閉じ操作すると、出没子がドア内部へ退入移動し、その分だけスライドピースの隣接間隔が小さくなって板ばねを下突状に湾曲させ、シール枠を床面に押付けてドアと床面の間の隙間を遮蔽する。
【０００３】
本発明の隙間遮蔽装置では、隙間を遮蔽する接床体を平行リンク機構で支持するが、平行リンクを利用した遮蔽体の支持構造は、特許文献２（発明の名称：移動間仕切用のドア装置）に開示されている。特許文献２のドア装置では、ドア本体の下部に下向きに開口する凹溝を設け、同溝の内部に昇降部材を収容し、ドアの吊元に設けたプッシュロッドと、同ロッドでスライド操作されるシャフトで平行リンク機構を操作して、昇降部材を昇降操作できるようにしている。昇降部材は戻しスプリングにより押上げ付勢されている。ドアが閉じ操作されてプッシュロッドがドアの内部に押込まれると、リンクが下方揺動し昇降部材を床面に押付けてドアと床面の間の隙間を遮蔽する。
【先行技術文献】
【特許文献】
【０００４】
【特許文献１】特開平１０−２３８２５１号公報
【特許文献２】特開平０６−１９３３５６号公報
【発明の概要】
【発明が解決しようとする課題】
【０００５】
特許文献１の密封装置は、一対のシールリップが床面に接床して遮音および遮光をおこなう。しかし、出没子がドアの内部に押込まれる動作を利用してシール枠を下降させるので、ドアが閉じ位置に達する手前の位置でシール枠が接床を開始し、ドアに引摺られる状態でシール枠が床面に押付けられる。そのため、接床開始位置と接床完了位置の間におけるシール枠は、床面と接触した状態のままで摩擦抵抗を伴いながらドアと同行移動することとなり、閉じ位置の近傍においてドアを軽快に開閉できない。また、ドアの開閉に伴ってシールリップが摩耗し、あるいはくせ付けされて遮音効果や遮光効果が早期に損なわれやすく、シール枠の交換間隔が短くなる不利もある。
【０００６】
その点、特許文献２のドア装置では、凹溝の溝幅を昇降部材の厚みより大きくして両者の間に隙間を設けることにより、接床完了位置の近傍において昇降部材とドアを相対移動させて、昇降部材がドアに引摺られるのを抑止できるようにしている。しかし、特許文献２のドア装置は、プッシュロッドがドアの内部に押込まれる動作で平行リンクを下方揺動させて、昇降部材を床面に押付ける構造になっている。そのため、特許文献１の密封装置と同様に、昇降部材がドアに引摺られる状態で床面に押し付けられ、閉じ位置の近傍においてドアを軽快に開閉できない。また、接床完了位置における昇降部材は、昇降部材とドアが相対移動した分だけ傾動せざるを得ず、昇降部材の下端に設けたシール部の一部が床面から受け離れて密着できないおそれがある。
【０００７】
上記のように従来装置においては、閉じ位置の近傍における接床体と床面の間の摩擦によってドアを軽快に開閉できないが、ドアの開閉しにくさがさらに顕著になる事例がある。例えば、高層ホテルの個室の場合には、建物の高気密化によりドアの内外での気圧差が大きくなっていることがあり、このような場合には接床体の摩擦に加えて、気圧差にもうち勝ってドアを開閉する必要があり、ドアを軽快に開閉できる隙間遮蔽装置の開発が望まれていた。
【０００８】
本発明の目的は、接床体が下降を開始してから床面に接床するまでの間、接床体をゆっくりと下降移動させて、接床体が戸パネルに引摺られながら接床するのを解消でき、従って、戸パネルを軽快に閉じ操作できるうえ、接床体のシール体の損耗を防止して耐久性を向上できる戸パネルの隙間遮蔽装置を提供することにある。
【課題を解決するための手段】
【０００９】
本発明に係る戸パネルの隙間遮蔽装置は、床面Ｆと対向する戸パネル２の下端部に配置されるガイド枠８と、ガイド枠８の内部に配置されて、床面Ｆに接する接床位置と、床面Ｆから離れる離床位置との間で昇降移動される接床体９と、接床体９を支持して該接床体９を昇降移動させる昇降構造１０と、接床体９の昇降移動を規制するトリガー機構１１と、接床体９の接床タイミングを遅らせる遅延構造を備える。昇降構造１０は、接床体９が接床位置となる下方姿勢と、接床体９が離床位置となる上方姿勢との間で変位する昇降機構２３と、昇降機構２３を下方姿勢に向かって付勢する接床ばね２４を備える。トリガー機構１１は、接床体９の下降移動を規制する待機位置と、接床体９の下降移動を許す解除位置とに切換え可能に構成される。トリガー機構１１が待機位置から解除位置に切換えられた状態では、昇降機構２３が上方姿勢から下降を開始できる。待機位置にあったトリガー機構１１が解除位置側へ切換え操作され始めてから、接床体９が接床位置へ向かって下降移動する間に遅延構造が作動して、接床体９の接床タイミングを遅らせていることを特徴とする。
【００１０】
トリガー機構１１に遅延構造が設けられている。遅延構造は、トリガー機構１１が待機位置から解除位置に切換えられるときの切換え動作を受けてスライド移動する第２作動体７７と第１作動体６１を備えている。第２作動体７７と第１作動体６１は、ピン８５と長穴８３を介して相対スライド可能に連結されている。トリガー機構１１が待機位置から解除位置に切換え操作されると、第２作動体７７が第１作動体６１に対して空走して、昇降機構２３の下降開始タイミングを遅延させる。
【００１１】
昇降機構２３に遅延構造が設けられている。遅延構造は、昇降機構２３の下降移動を制動するダンパー２５で構成されている。トリガー機構１１が待機位置から解除位置に切換えられて、昇降機構２３が上方姿勢から下降移動する間に、昇降機構２３の下降移動をダンパー２５で制動して、接床体９の接床タイミングを遅らせている。ダンパー２５で構成される遅延構造は、単独で使用してもよいし、昇降機構２３の下降開始タイミングを遅延させる上記の遅延構造と併用してもよい。
【００１２】
昇降機構は、ガイド枠８に支持されて接床体９を昇降操作する平行リンク機構２３で構成される。平行リンク機構２３は、ガイド枠８で左右スライド自在に案内される一対のスライダー２６・２７と、一対のスライダー２６・２７を連結する上リンク２８と、上端が各スライダー２６・２７に連結される一対の傾斜リンク２９と、各傾斜リンク２９の下端同士を連結する下リンク３０とを備える。平行リンク機構に昇降ローラー４１を備えたローラーアーム４０が固定されており、ガイド枠８に固定したホルダー体５０に縦長のガイド溝５６が形成されており、昇降ローラー４１が前記ガイド溝５６で昇降移動可能に案内支持されている。
【００１３】
ダンパー２５の一端は、ガイド枠８に固定されたホルダー体５０に支持される。昇降機構２３を挟んで、トリガー機構１１と、ホルダー体５０が配置される。ホルダー体５０と昇降機構２３の間に、接床ばね２４とダンパー２５が配置される。
【００１４】
接床体９は、上向きに開口する条材状の接床枠１５と、接床枠１５の下部に装着されるシール体１６を備えていて、平行リンク機構２３に連結した吊持ピース４３で支持される（図７参照）。接床枠１５とシール体１６は、接床枠１５に設けた装着溝１７とシール体１６に設けた装着リブ２１を係合して一体化される。接床枠１５の内面には装着溝１７を囲む溝壁１７ａが突設され、吊持ピース４３の前後に設けた連結溝４７と前記溝壁１７ａを係合連結して、接床体９が平行リンク機構２３で支持される。
【００１５】
トリガー機構１１はリンク保持機構１１Ａとリンク解除機構１１Ｂと、両機構１１Ａ・１１Ｂの間に設けられる遅延構造で構成される。リンク保持機構１１Ａは、平行リンク機構２３を構成する下リンク３０を下降不能に待機保持する待機位置と、下リンク３０の下降を許す解除位置とに切換え可能に構成される。リンク解除機構１１Ｂは、戸パネル２が閉じ操作されたことを検知する閉じ検知体７８を備える。リンク解除機構１１Ｂは、閉じ検知体７８の作動に応じて、リンク保持機構１１Ａを待機位置に保持する第１状態と、リンク保持機構１１Ａを解除位置に切換える第２状態とに切換え可能に構成される。戸パネル２が開放姿勢にあるとき、リンク解除機構１１Ｂは第１状態にある。戸パネル２が閉じ操作されたことが閉じ検知体７８で検知されると、リンク解除機構１１Ｂが第２状態に切換わってリンク保持機構１１Ａを解除位置に切換える（図１参照）。リンク解除機構１１Ｂが第１状態から第２状態に向かって切換え動作を開始するのに連動して遅延構造が作動して、リンク保持機構１１Ａが第２状態に切換わるタイミングを遅延させ、昇降機構２３の下降開始タイミングを遅延させている。
【００１６】
リンク保持機構１１Ａは、ガイド枠８に固定されるトリガーベース６０と、上リンク２８に連結されて同リンク２８と同行スライドする第１スライド枠６１と、同枠６１に固定される係合ピン６２と、トリガーベース６０で揺動可能に支持されて、前記係合ピン６２に係脱するトリガー爪６３とを備える。リンク解除機構１１Ｂは、ガイド枠８でスライド自在に支持される第２スライド枠７７と、第２スライド枠７７に装着されて戸パネル２の側端面で出没する閉じ検知体７８と、第２スライド枠７７とトリガーベース６０の間に配置されて、第２スライド枠７７を復帰付勢する復帰ばね７９を備える。戸パネル２が開放姿勢にあるとき、リンク保持機構１１Ａは、トリガー爪６３が第１スライド枠６１の係合ピン６２と係合して、待機位置に保持されている。戸パネル２が閉じ操作されたことが検知体７８で検知されると、第２スライド枠７７が第１スライド枠６１に対して空走したのち、第２スライド枠７７の起動腕８４がトリガー爪６３を揺動操作してトリガー爪６３と係合ピン６２の係合を解除し、リンク保持機構１１Ａが解除位置に切換えられる。
【００１７】
第１スライド枠６１と第２スライド枠７７は、ピン８５と長穴８３を介して相対スライド可能に連結される（図３参照）。閉じ検知体７８が退入移動を開始してから、第２スライド枠７７の起動腕８４がトリガー爪６３に接当するまでの間、第２スライド枠７７を第１スライド枠６１に対して空走するようになっている。閉じ検知体７８の退入ストロークの終端において、第２スライド枠７７の起動腕８４がトリガー爪６３を揺動操作することで、トリガー爪６３と係合ピン６２の係合を解除する。
【００１８】
トリガー機構１１が接床体９の一側に固定される連結体９５と、戸パネル２に設けられる手動切換え機構９６と、手動切換え機構９６の切換え動作を連結体９５に伝える伝動体９７とを備える（図１３参照）。手動切換え機構９６は、連結体９５を下降不能に待機保持する第１状態と、連結体９５の下降を許す第２状態に切換え可能に構成される操作具１０６と、操作具１０６を第１状態と第２状態において位置保持する節度機構とを備える。操作具１０６を第１状態に切換えた状態では、接床体９が離床位置に位置保持される。操作具１０６を第２状態に切換えた状態では、接床体９の下降移動が開始される。
【００１９】
手動切換え機構９６は、戸パネル２に装着されるケース１０５と、ケース１０５で往復変位可能に支持される操作具１０６とを備える。図１３に示すように節度機構は、節度凹部１０７と、節度凹部１０７に落込み係合する節度突起１０８と、節度突起１０８を係合付勢する節度ばね１０９とを備える。ケース１０５と操作具１０６のいずれか一方に節度凹部１０７が、他方に節度突起１０８と節度ばね１０９とが設けられる。
【００２０】
手動切換え機構９６が、戸パネル２に装着されるケース１０５と、ケース１０５で往復揺動可能に支持されて、第１状態と第２状態の間で切換え可能な操作具１０６と、ケース１０５で昇降可能に支持されるスライド体１１８とを備える。図１８に示すように、操作具１０６は、戸パネル２の外面に配置される操作摘み１１９と、ケース１０５の内部に配置されて、操作摘み１１９の往復揺動に連動してスライド体１１８を昇降操作する操作レバー１２０を備える。スライド体１１８は伝動体９７に連結されている。節度機構は、ケース１０５と操作レバー１２０との間に配置される捻じりコイルばねからなるキックばね１３３で構成してある。
【００２１】
戸パネル２に手動切換え機構９６の切換え動作を規制する開放規制構造が設けられる。開放規制機構は、戸パネル２の揺動先端側の側端で出没する出没体１１２と、出没体１１２を押出し付勢するばね１１３と、出没体１１２の側に形成される可動規制部１１４と、可動規制部１１４に対応して伝動体９７に形成される固定規制部１１５を備えている。図１７に示すように、戸パネル２が開放された状態における出没体１１２は、ばね１１３で押出し操作されて可動規制部１１４と固定規制部１１５が係合して、操作具１０６が第２状態に切換え操作されるのを規制している。
【００２２】
トリガー機構１１は、自動切換え方式のトリガー構造と、手動切換え方式のトリガー構造を備える。自動切換え方式のトリガー構造は、リンク保持機構１１Ａとリンク解除機構１１Ｂを備えている。手動切換え方式のトリガー構造は、接床体９の一側に固定される連結体９５と、戸パネル２に設けられる手動切換え機構９６と、手動切換え機構９６の切換え動作を連結体９５に伝える伝動体９７とを備えている。
【発明の効果】
【００２３】
本発明に係る戸パネルの隙間遮蔽装置においては、トリガー機構１１が解除位置側へ切換え操作され始めてから、接床体９が接床位置へ向かって下降移動する間に遅延構造が作動して、接床体９の接床タイミングを遅らせるようにした。このように遅延構造を備えた隙間遮蔽装置によれば、戸パネル２が閉じ切る前に接床体９が接床し、床面Ｆ上を摺動することに起因する接床体９の損耗を防止して、隙間遮蔽装置を備える戸パネル２の耐久性向上に貢献できる。接床体９が床面Ｆ上を摺動して摩擦力が生じることを防ぐことができるので、戸パネル２を軽快に閉じ操作することもできる。
【００２４】
ピン８５と長穴８３を介して相対スライド可能に連結される第２作動体７７と第１作動体６１を備える遅延構造によれば、トリガー機構１１が待機位置から解除位置に切換え操作されると、第２作動体７７が第１作動体６１に対して空走して、昇降機構２３の下降開始タイミングを遅延させることができる。このように、昇降機構２３の下降開始タイミングを遅延させると、戸パネル２が閉じ切ったのちに接床体９を床面Ｆに接床させることができるので、接床体９が床面Ｆ上を摺動して損耗するのを確実に防止して、その耐久性を向上できる。また、トリガー機構１１が待機位置から解除位置に切換え操作される間に、第２作動体７７を第１作動体６１に対して空走させたのち、昇降機構２３が遅延した状態で下降を開始するので、昇降機構２３の昇降動作量をトリガー機構１１の切換え動作量とは無関係に設定することができる。従って、昇降機構２３の昇降動作量を、接床体９と床面Ｆの対向隙間に応じて大きめに設定しておくと、先の対向隙間が大小に変化する場合でも、対向隙間の違いを吸収した状態で、接床体９を床面Ｆに対して確実に接床させることができ、昇降機構２３の昇降動作量を対向隙間の違いに応じて調整する必要もなく、その分だけ施工の手間を省くことができる。
【００２５】
昇降機構２３の下降移動を制動するダンパー２５で構成した遅延構造によれば、下降移動する昇降機構２３の移動速度をダンパー２５で減速できるので、接床体９が下降を開始してから、接床体９が床面Ｆに接触するまでに要する時間を引き延ばして、接床体９の接床動作を遅延させることができる。このように、接床体９をゆっくりと下降させると、接床体９が下降を開始してから床面Ｆに接触する間に戸パネル２を閉じ切ることができ、従って、接床体９が床面Ｆ上を摺動して損耗するのを確実に防止して、その耐久性を向上できる。
【００２６】
昇降機構２３を、一対のスライダー２６・２７と、上リンク２８と、一対の傾斜リンク２９と、下リンク３０を備えた平行リンク機構で構成し、同機構の動きを昇降ローラー４１とガイド溝５６で昇降移動のみ可能に規制するようにした。こうした昇降構造１０によれば、一対の傾斜リンク２９の下端が弧を描くようにして昇降移動し、あるいは下リンク３０が左右移動するのを、昇降ローラー４１とガイド溝５６で規制して、平行リンク機構を接床位置と離床位置の間で垂直に昇降移動させることができる。従って、平行リンク機構２３が下方姿勢に切換った状態では、接床体９を床面Ｆに適正かつ均等に押付けて、戸パネル２と床面Ｆの間の隙間を端から端まで遮蔽して、遮音作用と遮光作用を効果的に発揮させることができる。また、接床体９を戸パネル２の一端から他端にわたって設けることができる。
【００２７】
昇降機構２３を間に挟んで、トリガー機構１１と、ホルダー体５０を配置し、ガイド枠８に固定したホルダー体５０と昇降機構２３の間に接床ばね２４とダンパー２５を配置するようにした。こうした昇降構造１０によれば、接床ばね２４およびダンパー２５の一端をホルダー体５０で固定支持した状態で、接床ばね２４およびダンパー２５の他端を昇降機構２３に連結して、接床ばね２４の付勢力とダンパー２５の制動力を、昇降機構２３に対して適確に作用させることができる。従って、下方姿勢と上方姿勢との間の昇降機構２３の移動を、常に安定した状態で滑らかに行うことができる。また、接床ばね２４およびダンパー２５と、これら両者を支持するホルダー体５０を、昇降機構２３の一側に集約して配置できるので、昇降構造１０が複雑になるのを避けて組立の手間を省くことができる。
【００２８】
条材状の接床枠１５と、接床枠１５に装着されるシール体１６で接床体９を構成し、接床枠１５とシール体１６は、接床枠１５に設けた装着溝１７とシール体１６に設けた装着リブ２１を係合して一体化するようにした。こうした接床体９によれば、接床枠１５をシール体１６の一端から他端にわたって差込み装着することで、装着溝１７と装着リブ２１を係合できるので、より少ない手間で接床体９を組むことができる。また、接床枠１５の内面に突設される溝壁１７ａを利用して吊持ピース４３の連結溝４７を係合連結するので、吊持ピース４３を接床枠１５に対して連結するための構造を別途設ける必要がなく、全体として隙間遮蔽装置の製造に要するコストを削減できる。
【００２９】
リンク保持機構１１Ａと、リンク解除機構１１Ｂと、両機構１１Ａ・１１Ｂの間に設けられる遅延構造でトリガー機構１１を構成し、リンク保持機構１１Ａは待機位置と解除位置とに切換え可能とした。また、リンク解除機構１１Ｂは、閉じ検知体７８の作動に応じて第１状態と第２状態に切換え可能に構成した。こうしたトリガー機構１１によれば、リンク解除機構１１Ｂが第１状態から第２状態に向かって切換え動作を開始するのに連動して遅延構造が作動して、リンク保持機構１１Ａが第２状態に切換わるタイミングを遅延させることができる。また、リンク解除機構１１Ｂが第２状態に切換った状態では、リンク保持機構１１Ａを解除位置に切換えて平行リンク機構２３の下降を許すことができる。従って、リンク保持機構１１Ａが解除位置に切換えられるタイミングを遅延構造で調整できることとなり、戸パネル２の閉じ動作に連動して平行リンク機構２３を下降させる従来装置とは異なり、平行リンク機構２３の下降開始タイミングを遅らせて、接床体９が戸パネル２に引摺られるのを確実に防止できる。
【００３０】
トリガーベース６０と、第１スライド枠６１と、係合ピン６２と、トリガー爪６３でリンク保持機構１１Ａを構成し、リンク解除機構１１Ｂは、第２スライド枠７７と、閉じ検知体７８と復帰ばね７９を備えるようにした。こうしたトリガー機構１１は、戸パネル２が閉じ操作された状態では、閉じ検知体７８が退入移動するのに伴って、第２スライド枠７７が第１スライド枠６１に対して空走したのち、第２スライド枠７７の起動腕８４がトリガー爪６３を揺動操作してトリガー爪６３と係合ピン６２の係合を解除し、リンク保持機構１１Ａを解除位置に切換えることができる。また、戸パネル２が開放された状態では、第２スライド枠７７および閉じ検知体７８を復帰ばね７９の付勢力でスライド移動させて、平行リンク機構２３を速やかに上方姿勢に上昇させることができる。このように、メカニカルな機構として構成したトリガー機構１１によれば、戸パネル２の開閉動作と復帰ばね７９の付勢力のみで、リンク保持機構１１Ａおよびリンク解除機構１１Ｂを切換えることができるので、常に安定した状態で平行リンク機構２３を適確に昇降移動することができる。また、モーターやソレノイドなどのアクチュエーターを駆動源とする場合に比べて、隙間遮蔽装置の構造を簡素化できるうえ、停電時であっても問題なく隙間の遮蔽を行える利点がある。
【００３１】
第１スライド枠６１と第２スライド枠７７を、ピン８５と長穴８３を介して相対スライド可能に連結し、第２スライド枠７７を第１スライド枠６１に対して空走させるようにしたトリガー機構１１によれば、閉じ検知体７８の退入ストロークの終端において、トリガー爪６３と係合ピン６２の係合を解除することができる。従って、平行リンク機構２３の下降開始タイミングを充分に遅らせて、戸パネル２が閉じ切る前に接床体９が床面Ｆに接触するのをさらに確実に解消できる。
【００３２】
連結体９５と、手動切換え機構９６と、伝動体９７などで構成した手動式のトリガー機構１１によれば、戸パネル２の閉じ動作に連動してトリガー機構１１を自動的に切換える場合に比べて、トリガー機構１１の構造を著しく簡素化して、隙間遮蔽装置をより低コストで提供できる。また、手動切換え機構９６の操作具１０６を切換え操作して始めて、昇降機構２３の下降移動を開始させることができるので、適正な使用法に従う限り、接床体９が戸パネル２に引摺られるのを解消できる。
【００３３】
手動式のトリガー機構１１において、操作具１０６を第１状態と第２状態において位置保持するための節度機構を、節度凹部１０７と節度突起１０８と節度ばね１０９で構成するようにした。こうしたトリガー機構１１によれば、操作具１０６が第１状態と第２状態に切換え操作されるのに連動して節度凹部１０７と節度突起１０８を係合させて、操作具１０６が第１状態および第２状態において不用意に切換え操作されるのを防止できる。また、上方姿勢に保持された平行リンク機構２３が、外力や衝撃を受けて下降移動しようとするのを節度機構で防止できる。
【００３４】
手動切換え機構９６を操作具１０６とスライド体１１８で構成し、操作具１０６は操作摘み１１９と、同摘み１１９に連動してスライド体１１８を昇降操作する操作レバー１２０で構成するようにした。こうした手動切換え方式のトリガー機構１１によれば、戸パネル２の閉じ動作に連動してトリガー機構１１を自動的に切換える自動切換え方式のトリガー構造に比べて、トリガー機構１１の構造を著しく簡素化して、隙間遮蔽装置をより低コストで提供できる。また、手動切換え機構９６の操作具１０６を切換え操作して始めて、平行リンク機構２３の下降移動を開始させることができるので、適正な使用法に従う限り、接床体９が戸パネル２に引摺られるのを確実に解消できる。さらに、操作摘み１１９を揺動操作することで、連結体９５を待機位置と解除位置に切換えることができるので、操作具１０６を上下にスライド切換えする場合に比べて、操作摘み１１９の切換えを簡便に行える。節度機構を捻じりコイルばねからなるキックばね１３３で構成するので、節度機構の構造を簡素化して低コスト化に寄与できる。
【００３５】
手動切換え機構９６の切換え動作を規制するための開放規制構造を設けるようにしたトリガー機構１１によれば、戸パネル２が開放された状態では、可動規制部１１４と固定規制部１１５が係合して、操作具１０６が第２状態に切換え操作されるのを規制できる。また、可動規制部１１４と固定規制部１１５の係合が解除された状態でのみ、操作具１０６を第２状態に切換えることが可能となるので、戸パネル２が閉じ切る前に接床体９が床面Ｆに接床して戸パネル２に引摺られるのをさらに確実に解消できる。
【００３６】
自動切換え方式のトリガー構造と、手動切換え方式のトリガー構造を備える隙間遮蔽装置によれば、戸パネル２が開放された状態において、手動切換え方式のトリガー機構１１の操作摘み１１９を第１状態に切換えておくことにより、戸パネル２が閉じ操作された状態であっても、接床体９を離床位置に位置保持することができる。また、戸パネル２を閉じ操作したのち、操作摘み１１９を第２状態に切換えることにより、接床体９を床面Ｆに対してゆっくりと接床させることができる。さらに、操作摘み１１９が第２状態に切換えられた状態のままで、戸パネル２が開放操作されると、自動切換え方式のトリガー機構１１が作動して接床体９を離床位置まで上昇移動させることができる。上記のように、手動切換え方式のトリガー機構１１の操作摘み１１９が第１状態に切換えられた状態では、戸パネル２の開閉動作に連動した自動切換え方式のトリガー機構１１の切換え動作が無効化される。そのため、戸パネル２で開閉される部屋の用途に応じて、音漏れや光漏れを防ぐ必要がある場合と、その必要がない場合とで、隙間遮蔽装置の状態を切換えて、接床体９が床面Ｆに対して不必要に接床操作されるのを解消できる。
【図面の簡単な説明】
【００３７】
【図１】本発明の実施例１に係る戸パネルの隙間遮蔽装置の縦断正面図である。
【図２】開き戸の正面図である。
【図３】昇降機構が上方姿勢に切換った状態を示す縦断側面図である。
【図４】昇降構造の分解斜視図である。
【図５】トリガー機構の分解斜視図である。
【図６】図１におけるＡ−Ａ線断面図である。
【図７】図１におけるＢ−Ｂ線断面図である。
【図８】図３におけるＣ−Ｃ線断面図である。
【図９】トリガー機構の切換え動作を示す正面図である。
【図１０】トリガー機構の要部の横断平面図である。
【図１１】ガイド枠の締結構造を示す斜視図である。
【図１２】本発明の実施例２に係る戸パネルの隙間遮蔽装置を適用した開き戸の正面図である。
【図１３】トリガー機構の下部構造を示す縦断正面図である。
【図１４】トリガー機構の縦断側面図である。
【図１５】本発明の実施例３に係る戸パネルの隙間遮蔽装置を適用した開き戸の正面図である。
【図１６】トリガー機構の下部構造を示す縦断正面図である。
【図１７】図１６におけるＤ−Ｄ線断面図である。
【図１８】本発明の実施例４に係る戸パネルの隙間遮蔽装置を適用した開き戸におけるトリガー機構の上部構造を示す縦断正面図である。
【図１９】トリガー機構の下部構造を示す縦断正面図である。
【発明を実施するための形態】
【００３８】
（実施例１）  図１から図１１に、本発明の実施例１に係る戸パネルの隙間遮蔽装置を示す。本実施例における前後、左右、上下とは、図２ないし図４に示す交差矢印と、交差矢印の近傍の前後・左右・上下の表記に従う。図２は隙間遮蔽装置を開き戸（揺動ドア）に適用した状態を示しており、開き戸は出入口を囲む門形の開口枠１と、出入口を開閉する戸パネル２と、戸パネル２を揺動開閉可能に支持するヒンジ３と、戸パネル２の前後に設けたドアハンドル４などを備える。開口枠１には、閉じ操作された戸パネル２の上縁部および左右側縁部を受止めて音漏れおよび光漏れを防ぐシール枠５が設けられる。また、床面Ｆと戸パネル２の下端部との間に、閉じ状態において音漏れおよび光漏れを防ぐ隙間遮蔽装置が設けられる。
【００３９】
図２ないし図５において隙間遮蔽装置は、床面Ｆと対向する戸パネル２の下端部に配置されるガイド枠８と、ガイド枠８の内部に収容される接床体９と、接床体９を昇降操作する昇降構造１０と、昇降構造１０を待機保持するトリガー機構１１などを備える。ガイド枠８は下向きに開口する横長のアルミニウム条材からなり、その前後壁の内面上部に一対のガイドリブ１２を一体に形成して、両リブ１２の間にガイド溝１３が区画される。ガイド枠８は、戸パネル２に形成した取付溝２ａに嵌込まれて、ガイド枠８の両端に係合した一対のブラケット６で戸パネル２に締結固定される。図１１に示すようにブラケット６は、上側のガイドリブ１２とガイド枠８の上壁との間の溝１４に係合する係合座６ａと、ビス７で戸パネル２に締結される締結座６ｂを一体に備えたＬ字状のプレス金具からなり、係合座６ａが溝１４に係合する状態で、締結座６ｂのビス穴に挿通したビス７を締結することにより、ガイド枠８を戸パネル２と一体化できる。
【００４０】
接床体９は、上向きに開口する横長のアルミニウム条材からなる接床枠１５と、接床枠１５の下部の長手方向の全長にわたって装着されるシール体１６を備える。接床枠１５の前後壁には、前方または後方へ向かって開口する断面がＣ字形の装着溝１７が凹み形成され、底壁の左右２個所には規制溝１８が上下貫通状に形成される。接床枠１５の前後壁の対向面には、装着溝１７を囲む断面がコ字状の溝壁１７ａが突設される。シール体１６は、ゴムなどのエラストマーで形成された押出し成形品からなり、接床枠１５の前後壁に密着する一対の縦壁１９と、縦壁１９の下端に連続する中空レンズ断面状のシール部２０と、縦壁１９の対向面に膨出される断面がきのこ形の装着リブ２１を一体に備える。装着リブ２１を接床枠１５の装着溝１７に差込み係合することにより、シール体１６が接床枠１５と一体化される。接床体９の前後幅は、ガイド枠８の前後壁の対向間隔より僅かに小さく設定されており、これにより接床体９は昇降構造１０で円滑に昇降操作できる。
【００４１】
昇降構造１０は、ガイド枠８に支持されて接床体９を接床位置と離床位置の間で昇降操作する平行リンク機構（昇降機構）２３と、接床体９が接床位置へ向かって下降する向きに平行リンク機構２３を付勢する接床ばね２４と、ガイド枠８と平行リンク機構２３の間に設けられて同機構２３の下降動作を制動するダンパー（遅延構造）２５とを備える。平行リンク機構２３は、下方姿勢と上方姿勢との間を昇降変位でき、同機構２３が下方姿勢にあるとき接床体９が接床しており、同機構２３が上方姿勢にあるとき接床体９は離床している。接床ばね２４のばね力を大小に変更すると、接床位置において接床体９が床面Ｆを押付ける力を変化させて、接床時のシール体１６の弾性変形度合を好適化できる。
【００４２】
平行リンク機構２３は、ガイド枠８のガイド溝１３で左右スライド自在に案内される一対のスライダー２６・２７と、一対のスライダー２６・２７を連結する上リンク２８と、上端が各スライダー２６・２７に連結される一対の傾斜リンク２９と、各傾斜リンク２９の下端同士を連結する下リンク３０で構成される。一対のスライダー２６・２７がガイド溝１３に沿って左右スライドするとき、傾斜リンク２９は傾斜した状態のままで、その下端側が昇降移動するので、この動作を利用して接床体９を昇降操作する。接床ばね２４は引張りばねからなる。図６に示すようにダンパー２５は、シリンダー２５ａの内部にピストン２５ｂと進出付勢ばね２５ｃが封入され、シリンダー２５ａの一端からピストンロッド２５ｄが突出された市販品のオイルダンパーからなる。
【００４３】
図４においてスライダー２６・２７は断面が凸字状のプラスチック成型品からなり、その下面側に上リンク２８および傾斜リンク２９の連結端を収容するリンク溝３３が凹み形成され、リンク溝３３を挟む前後壁にピン穴３４が前後貫通状に形成される。図４に向かって左側のスライダー２６の左右長さに比べて、右側のスライダー２７の左右長さは大きく設定される。これは、右側のスライダー２７を利用して接床ばね２４とダンパー２５を平行リンク機構２３に連結するためであり、そのためにスライダー２７の側端には、接床ばね２４用の掛止ピン３５と、ダンパー２５用のロッド穴（連結穴）３６が形成されている。
【００４４】
上リンク２８および下リンク３０は、それぞれ帯板状のプレス成型品からなり、上リンク２８の左端にトリガー機構１１を連結するための連結座３７が折曲げ形成される。一対の傾斜リンク２９は、帯板状のプレス成型品からなり、その下端側が丸められているのに対して、上端側には傾斜するストッパー面３８が形成されている。スライダー２６・２７が左右スライドするとき、傾斜リンク２９は傾斜した状態のままで上下揺動するが、傾斜リンク２９が下降揺動してストッパー面３８がリンク溝３３の上壁で受止められると、傾斜リンク２９はそれ以上下降揺動することはできない。下リンク３０のダンパーホルダー５０側の端部（右端）には、ローラーアーム４０が２個のかしめピン３９で固定されて、その右端に昇降ローラー４１が回転自在に軸支されている。図４において符号３１は上リンク２８と傾斜リンク２９を連結するリンクピン、符号３２は傾斜リンク２９と下リンク３０を連結するリンクピンである。
【００４５】
接床体９を平行リンク機構２３で吊下げ支持するために、傾斜リンク２９と下リンク３０の連結部に、接床体９を支持する２個の吊持ピース４３がリンクピン３２で共締め連結されている。図４および図７において吊持ピース４３は、前後一対の吊持壁４４と、一対の吊持壁４４の下端に連続する下突湾曲状の弾性部４５と、弾性部４５の下面の前後中央に突接される係合突起４６を一体に備えたプラスチック成形品からなる。一対の吊持壁４４の前面および後面には、それぞれ横方向の連結溝４７が凹み形成されている。図７に示すように接床枠１５の内面の溝壁１７ａを連結溝４７に係合し、係合突起４６を接床枠１５の左右に設けた規制溝１８に落込み係合させることにより、接床体９を平行リンク機構２３と一体化できる。この状態の吊持ピース４３は、係合突起４６の両端が規制溝１８で受止められるので、吊持ピース４３が接床枠１５に対して相対移動不能に固定される。接床枠１５は、その一端から他端にわたって吊持ピース４３に差込み連結して一体化するが、差込み連結時には、弾性部４５を上向きに弾性変形させて扁平化できるので、接床枠１５の組付けを容易に行うことができる。
【００４６】
上記の平行リンク機構２３を間に挟んで、同機構２３の左側にトリガー機構１１が、右側にダンパーホルダー（ホルダー体）５０が配置される。ダンパーホルダー５０は、ガイド溝１３に係合するホルダー本体５２と、ホルダー本体５２の下面に突設した縦壁５３を一体に備えたプラスチック成形品からなり、ホルダー本体５２がガイド枠８の上壁に２個のビス５１で固定されている。ホルダー本体５２の左端面には、接床ばね２４用の掛止ピン５４と、ダンパー２５用のシリンダー穴（連結穴）５５が形成される。また、ホルダー本体５２の後面には、昇降ローラー４１を案内する縦長のガイド溝５６が形成される。このように、昇降ローラー４１を縦長のガイド溝５６で案内することにより、平行リンク機構２３が昇降移動するとき、平行リンク機構２３が左右に揺れ動くのを規制して、接床体９を水平姿勢のままで床面Ｆに適正に密着させることができる。
【００４７】
図３においてトリガー機構１１は、リンク保持機構１１Ａと、リンク解除機構１１Ｂと両機構１１Ａ・１１Ｂの間に設けられる遅延構造で自動切換え方式のトリガー構造として構成される。リンク保持機構１１Ａは、平行リンク機構２３の下リンク３０を下降不能に待機保持する待機位置と、下リンク３０の下降を許す解除位置とに切換えることができる。図５に示すようにリンク保持機構１１Ａは、ガイド溝１３に係合装着されるトリガーベース６０と、上リンク２８に連結されて同リンク２８と同行スライドする第１スライド枠（第１作動体）６１と、同枠６１の上リンク２８との連結部分にかしめ固定される係合ピン６２と、トリガーベース６０で揺動可能に支持されて、係合ピン６２に係脱するトリガー爪６３とを備える。
【００４８】
トリガーベース６０は、横臥Ｌ字状に連続する締結座６４およびばね受座６５と、トリガー爪６３を支持する垂直の爪受壁６６を一体に備えたプラスチック成形品からなり、その締結座６４がガイド枠８の上壁にビス５９で固定されている（図３参照）。第１スライド枠６１は、左右両端に上突状の連結座６８・６９が形成されたプレス金具からなり、右側の連結座６９に丸軸状の係合ピン６２がかしめ固定されている。第１スライド枠６１の連結座６９は、２個のかしめピン７５で上リンク２８の連結座３７に固定されている。
【００４９】
トリガー爪６３は、爪本体部７０と、爪本体部７０の右端上部から連出される矢尻形の係合腕７１と、爪本体部７０の左端下部から連出される受動腕７２を一体に備えたプレス金具からなる。係合腕７１の中途部下面には、係合ピン６２に係脱する係合段部７３が形成される。トリガー爪６３は、トリガーベース６０の爪受壁６６にピン７４で揺動可能に軸支されており、これにより係合腕７１および受動腕７２は、図３に示す係合位置と、図１に示す解除位置の間で上下傾動できる。係合位置における係合段部７３は係合ピン６２と係合して、スライダー２６が右移動するのを規制する。また、係合解除位置における係合段部７３は係合ピン６２から分離して、スライダー２６の右移動を許す。
【００５０】
リンク解除機構１１Ｂは、ガイド枠８でスライド自在に支持される第２スライド枠（第２作動体）７７と、第２スライド枠７７に装着されて戸パネル２が閉じ操作されたことを検知する閉じ検知体７８と、第２スライド枠７７とトリガーベース６０の間に配置される復帰ばね７９を備える。第２スライド枠７７は、ガイド枠８のガイド溝１３でスライド自在に案内される枠本体８０と、枠本体８０の下面に突設される左右横長の垂直の縦壁８１を一体に備えたプラスチック成形品からなる。枠本体８０には、上向きに開口する閉じ検知体７８用の収容凹部８２が形成されており、縦壁８１には横長のスライド穴（長穴）８３が形成されている。また、縦壁８１の右端下部には、受動腕７２を介してトリガー爪６３を揺動操作する横向きの起動腕８４が突設される。第２スライド枠７７と第１スライド枠６１は、第１スライド枠６１にかしめ固定されるガイドピン（ピン）８５をスライド穴８３で案内することにより相対スライド自在に連結されている。
【００５１】
閉じ検知体７８は、六角形の操作頭部を備えたボルト８８と、ボルト８８にねじ込み連結される扁平なラッチ体８９と、ボルト８８と共に収容凹部８２に収容されて、ボルト８８を退入付勢する圧縮コイル形のばね９０とで構成される。ボルト８８は、収容凹部８２の上面を塞ぐカバー９１で回止め固定されている（図８参照）。復帰ばね７９は圧縮コイル形のばねからなり、スライダー２６・２７を左移動させて接床体９を接床位置から離床位置へ復帰させ、同時に閉じ検知体７８をガイド枠８外側方へ進出操作する。そのために、復帰ばね７９の張力は接床ばね２４の張力より大きく設定される。図１０に示すようにラッチ体８９は、ガイド枠８のガイド溝１３で出没自在に案内されており、その突端には円弧面状の受圧面９２が形成されている。
【００５２】
上記のリンク解除機構１１Ｂは、閉じ検知体７８の出没動作に応じて、リンク保持機構１１Ａを待機位置に保持する第１状態と、リンク保持機構１１Ａを解除位置に切換える第２状態とに切換え可能である。戸パネル２が開放された状態におけるリンク解除機構１１Ｂは、図３に示すように第１状態に切換っており、第２スライド枠７７が復帰ばね７９の付勢力を受けて、トリガーベース６０から離れる向きに押出され、閉じ検知体７８のラッチ体８９が戸パネル２の側端面から突出している。また、戸パネル２が閉じ操作される状態におけるリンク解除機構１１Ｂは、第１状態から第２状態に切換わって、リンク保持機構１１Ａを解除位置に切換えるが、その詳細は後述する。遅延構造は、ピン８５とスライド穴８３を介して相対スライド可能に連結される第２スライド枠７７と第１スライド枠６１で構成してある。
【００５３】
以上のように構成した隙間遮蔽装置は、例えば以下のようにして組むことができる。昇降ローラー４１がガイド溝５６に係合する状態で、ダンパーホルダー５０と昇降構造１０を仮組みし、両者の間に接床ばね２４とダンパー２５を組付けておく。ダンパーホルダー５０のホルダー本体５２、昇降構造１０のスライダー２６・２７、およびトリガーベース６０をガイド溝１３に嵌込み、さらに復帰ばね７９を含むリンク解除機構１１Ｂをガイド枠８内に収容して、隙間遮蔽装置の主要部材を仮組みする。次に、トリガーベース６０をビス５９でガイド枠８に固定し、ダンパーホルダー５０をビス５１でガイド枠８に固定して、トリガーベース６０と平行リンク機構２３とダンパーホルダー５０の関係位置を固定化する。この状態で、ガイド枠８の外に突出している吊持ピース４３に接床枠１５を差込み係合して、接床体９を平行リンク機構２３と一体化する。
【００５４】
接床体９は、接床枠１５に設けた装着溝１７とシール体１６に設けた装着リブ２１を係合して構成するが、その場合には、接床枠１５をシール体１６の一端から他端にわたって差込み装着することで、装着溝１７と装着リブ２１を係合できるので、より少ない手間で接床体９を組むことができる。また、接床枠１５の内面に突設される溝壁１７ａを利用して吊持ピース４３の連結溝４７を係合連結するので、吊持ピース４３を接床枠１５に対して連結するための構造を別途設ける必要がなく、全体として隙間遮蔽装置の製造に要するコストを削減できる。
【００５５】
上記の状態の隙間遮蔽装置を戸パネル２の取付溝２ａに嵌込んでビスで固定し、戸パネル２をヒンジ３で揺動開閉可能に支持する。開口枠１に吊り込まれた戸パネル２を閉じ揺動して、接床体９が床面Ｆに接床し始めるタイミングを確認し、閉じ検知体７８のガイド枠８からの突出量を調整する。例えば、接床タイミングが早すぎる場合には、ラッチ体８９をばね９０の付勢力に抗してガイド枠８の外へ抜き出し、ラッチ体８９をボルト８８にねじ込んで、閉じ検知体７８のガイド枠８からの突出量を減少する。接床タイミングが遅すぎる場合には、ラッチ体８９をボルト８８に対して緩めて突出量を増加する。隙間遮蔽装置は、戸パネル２の吊元が開口枠１の右側方である場合にも共通して使用することができ、その場合には図１０に想像線で示すように、ラッチ体８９の受圧面９２の向きを反転させて逆向きにするとよい。
【００５６】
戸パネル２が閉じ操作されるときの隙間遮蔽装置は、以下のように作動する。戸パネル２が開放された状態では、図３に示すようにトリガー爪６３が係合ピン６２に係合して、平行リンク機構２３を上方姿勢に位置保持しており、昇降ローラー４１はガイド溝５６の上端に位置している。また、閉じ検知体７８は復帰ばね７９の付勢力を受けて、ラッチ体８９の突端がガイド枠８の外側方へ突出しており、接床ばね２４は伸張した状態になっている。つまり、リンク保持機構１１Ａは、平行リンク機構２３を下降不能に待機保持しており、リンク解除機構１１Ｂは第１状態に切換っていて、リンク保持機構１１Ａを待機位置に保持している。この状態のシール体１６は、図８に示すようにガイド枠８内に収容されている。
【００５７】
上記の状態から戸パネル２が閉じ操作されるのに伴い、戸パネル２の吊元側の側面が開口枠１に接近し、やがてラッチ体８９の突端が開口枠１で受止められて、復帰ばね７９のばね力に抗しながらガイド枠８内へ押込まれる。閉じ検知体７８が押込まれて右方向へ移動すると、第２スライド枠７７が同行移動するが、同枠７７の移動動作はスライド穴８３で吸収され、第２スライド枠７７は第１スライド枠６１に対して空走するので、第１スライド枠６１が移動することはない。引き続き第２スライド枠７７が右移動すると、図９に示すように起動腕８４がトリガー爪６３の受動腕７２に接当して、トリガー爪６３を反時計回転方向へ揺動操作する。そして、トリガー爪６３が想像線で示す位置まで揺動すると、係合段部７３と係合ピン６２の係合が解除されて、トリガー爪６３による第１スライド枠６１の拘束が開放される。
【００５８】
また、第２スライド枠７７を第１スライド枠６１に対して空走させると、閉じ検知体７８の退入ストロークの終端において、トリガー爪６３と係合ピン６２の係合を解除することができる。従って、平行リンク機構２３の下降開始タイミングを充分に遅らせて、戸パネル２が閉じ切る前に接床体９が床面Ｆに接触するのを確実に解消できる。以後は、スライダー２６・２７と上リンク２８が接床ばね２４のばね力を受けて右移動を開始する。上記のように、リンク解除機構１１Ｂは、戸パネル２が閉じ切る直前に、第１状態から第２状態に切換わってリンク保持機構１１Ａを解除位置に切換える。
【００５９】
スライダー２７が右方向へ移動し始めると、スライダー２７にダンパー２５の制動力が作用するため、平行リンク機構２３および接床体９はゆっくりと下降して床面Ｆに接触したのち、図７に示すようにシール部２０が床面Ｆに押し付けられる。このとき、接床体９が下降する速度に比べて、戸パネル２が閉じ位置へ揺動する速度は十分に速いので、戸パネル２が閉じ切った状態で接床体９を床面Ｆに接床させることができる。接床体９が接床位置にあるとき、昇降ローラー４１は図１に示すようにガイド溝５６の下端寄りに位置している。上記のように、昇降ローラー４１を、ダンパーホルダー５０のガイド溝５６で昇降移動可能に案内すると、ガイド枠８に固定されるダンパーホルダー５０を位置基準にして、下リンク３０が左右移動しようとするのを、昇降ローラー４１とガイド溝５６で規制できる。従って、平行リンク機構２３をさらに的確に昇降移動させることができる。
【００６０】
上記のように、起動腕８４がトリガー爪６３の受動腕７２に接当して、トリガー爪６３が反時計回転方向へ揺動を開始するのは、戸パネル２が閉じ切る直前であり、トリガー爪６３が揺動を開始してから、係合段部７３と係合ピン６２の係合が解除されるまでの起動腕８４（第２スライド枠７７）のスライドストロークＳは、図９に示すようにごく僅かでしかない。また、スライダー２６・２７が右方向へスライド移動し、シール体１６が離床位置から接床位置へ向かって降下を開始してから床面Ｆに押付けられるまでは、ダンパー２５の制動動作分だけ数秒の動作遅れが生じ、その間に戸パネル２は完全な閉じ位置まで移動して停止する。そのため、接床体９は戸パネル２が閉じ切った後に、床面Ｆに押付けられる。
【００６１】
以上のように、実施例１の隙間遮蔽装置では、第２スライド枠７７を第１スライド枠６１に対して空走させて昇降機構２３の下降開始タイミングを遅延させ、さらに、下降移動する昇降機構２３の移動速度をダンパー２５で減速し、接床体９が下降を開始してから、接床体９が床面Ｆに接触するまでに要する時間を引き延ばして、接床体９の接床動作を遅延させるようにした。こうした隙間遮蔽装置によれば、戸パネル２が閉じ切ったのちに接床体９を床面に接床させることができ、接床体９が床面Ｆ上を摺動して損耗するのを確実に防止して、その耐久性を向上できる。接床体９が床面Ｆ上を摺動して摩擦力が生じることを防止するので、戸パネルを軽快に閉じ操作できる利点もある。
【００６２】
また、第２スライド枠７７を第１スライド枠６１に対して空走させることにより、昇降機構２３の下降開始タイミングを遅延させることができる。さらに、トリガー機構１１が待機位置から解除位置に切換え操作される間に、第２スライド枠７７を第１スライド枠６１に対して空走させたのち、昇降機構２３が遅延した状態で下降を開始するので、昇降機構２３の昇降動作量をトリガー機構１１の切換え動作量とは無関係に設定することができる。従って、昇降機構２３の昇降動作量を、接床体９と床面Ｆの対向隙間に応じて大きめに設定しておくと、先の対向隙間が大小に変化する場合でも、対向隙間の違いを吸収した状態で、接床体９を床面Ｆに対して確実に接床させることができ、昇降機構２３の昇降動作量を対向隙間の違いに応じて調整する必要もなく、その分だけ施工の手間を省くことができる。
【００６３】
戸パネル２が閉じ位置から開放操作される場合には、戸パネル２の側端面が開口枠１から離れ始めるのに伴って、復帰ばね７９の付勢力を受けた閉じ検知体７８がガイド枠８の外側方へ押出され、同時に第２スライド枠７７が左移動する。さらに第２スライド枠７７が左移動するのに同行して第１スライド枠６１が移動するため、平行リンク機構２３が下方姿勢から上方姿勢へ向かって上昇し始める。このときのダンパー２５は、そのピストンロッド２５ｄが進出付勢ばね２５ｃで押し出されて、第２スライド枠７７に抵抗なく追随するので、平行リンク機構２３は復帰ばね７９の付勢力で急速に上昇移動し、トリガー爪６３の係合段部７３が係合ピン６２と係合して平行リンク機構２３を上方姿勢に位置保持する。因みに、戸パネル２が閉じ位置から開放操作されるときの平行リンク機構２３の上昇速度は、平行リンク機構２３がダンパー２５で制動されながら下降するときの速度に比べて充分に速くなる。トリガー爪６３の係合段部７３が係合ピン６２と係合する間のリンク解除機構１１Ｂは、第２状態から第１状態に切換って、ラッチ体８９がガイド枠８の外側方へ突出する。なお、トリガー爪６３は、自重による時計回転方向のモーメントで下方揺動して係合ピン６２と係合する。必要があれば、トリガー爪６３を専用のばねで下降付勢してもよい。
【００６４】
以上説明したように、上記の実施例に係る昇降機構は、一対のスライダー２６・２７と、上リンク２８と、一対の傾斜リンク２９と、下リンク３０を備えた平行リンク機構２３で構成する。こうした平行リンク機構２３によれば、一対のスライダー２６・２７が上リンク２８で連結され、一対の傾斜リンク２９が下リンク３０で連結されているので、一対のスライダー２６・２７を正確に同期した状態でスライドさせながら、一対の傾斜リンク２９を正確に同期した状態で昇降移動させることができる。また、一対の傾斜リンク２９は、その上端が一対のスライダー２６・２７に同行してスライド移動しながら、その下端が下リンク３０に同行して昇降移動する。そのため傾斜リンク２９は、その下端が弧を描くようにして昇降移動することはなく、下方姿勢と上方姿勢の間を垂直に昇降移動させることができる。また、平行リンク機構２３は接床体９を垂直に昇降移動させることができるので、接床体９を戸パネル２の一端から他端にわたって設けることができる。従って、平行リンク機構２３が下方姿勢に切換った状態では、接床体９を床面Ｆに適正かつ均等に押付けて、戸パネル２と床面Ｆの間の隙間を端から端まで遮蔽して、遮音作用と遮光作用を効果的に発揮させることができる。
【００６５】
また上記の実施例においては、平行リンク機構２３を間に挟んで、トリガー機構１１と、ダンパーホルダー５０を配置し、ガイド枠８に固定したダンパーホルダー５０と平行リンク機構２３の間に接床ばね２４とダンパー２５を配置するようにした。こうした昇降構造１０によれば、接床ばね２４およびダンパー２５の一端をダンパーホルダー５０で固定支持した状態で、接床ばね２４およびダンパー２５の他端を平行リンク機構２３に連結して、接床ばね２４の付勢力とダンパー２５の制動力を、平行リンク機構２３に対して適確に作用させることができる。従って、接床位置と離床位置との間の平行リンク機構２３の移動を、常に安定した状態で滑らかに行うことができる。また、接床ばね２４およびダンパー２５と、これら両者を支持するダンパーホルダー５０を、平行リンク機構２３の一側に集約して配置できるので、昇降構造１０が複雑になるのを避けて組立の手間を省くことができる。
【００６６】
リンク保持機構１１Ａとリンク解除機構１１Ｂで構成したトリガー機構１１によれば、戸パネル２が閉じ操作されたことを閉じ検知体７８が検知した場合に、リンク解除機構１１Ｂが第２状態に切換わって、リンク保持機構１１Ａを解除位置に切換えて平行リンク機構２３の下降を許すことができる。従って、リンク保持機構１１Ａが解除位置に切換えられるタイミングをリンク解除機構１１Ｂの側で調整できることとなり、戸パネルの閉じ動作に連動して平行リンク機構を下降させる従来装置とは異なり、平行リンク機構２３の下降開始を遅らせて、接床体９が戸パネル２に引摺られるのをよく防止できる。
【００６７】
トリガー機構１１は、メカニカルな機構として構成してあって、戸パネル２の開閉動作と復帰ばね７９の付勢力のみで、リンク保持機構１１Ａおよびリンク解除機構１１Ｂを切換えることができる。従って、常に安定した状態で平行リンク機構２３を適確に昇降移動することができるうえ、モーターやソレノイドなどのアクチュエーターを駆動源とする場合に比べて、隙間遮蔽装置の構造を簡素化し低コスト化できるうえ、停電時であっても問題なく隙間の遮蔽を行える利点がある。
【００６８】
（実施例２）  図１２ないし図１４は本発明の実施例２に係る戸パネル２の隙間遮蔽装置を示しており、トリガー機構１１を手動切換え方式のトリガー構造で構成する点と、実施例１の昇降構造１０を左右に反転した状態で配置してある点が実施例１の隙間遮蔽装置と異なる。図１２および図１３において、トリガー機構１１は、接床体９の揺動先端側に固定される連結体９５と、戸パネル２に設けられる手動切換え機構９６と、手動切換え機構９６の切換え動作を連結体９５に伝える金属製の伝動ロッド（伝動体）９７などで構成する。
【００６９】
連結体９５は、接床枠１５の溝壁１７ａに係合連結される下側の連結部９８と、接床枠１５の上方に突出する吊持枠部９９を一体に備えたプラスチック成形品からなる。吊持枠部９９には、連結体９５の前後で開口する縦長のガイド溝１００が形成されており、同溝１００の内部にナット体１０１が上下スライド自在に配置されている。連結体９５には、伝動ロッド９７の上下スライドを許すロッド穴１０２が上下貫通状に形成される。伝動ロッド９７の上端は後述するスライドノブ１０６に連結されており、その下端に設けたねじ軸１０３が、先のナット体１０１にねじ込み連結されている。
【００７０】
図１４において手動切換え機構９６は、ドアハンドル４に隣接した状態で戸パネル２に装着されるケース１０５と、ケース１０５で上下スライド自在に案内されるスライドノブ（操作具）１０６と、ケース１０５とスライドノブ１０６の間に設けられる節度機構とを備える。節度機構は、ケース１０５の上下に凹み形成される節度凹部１０７と、スライドノブ１０６と同行移動する節度突起１０８と、節度突起１０８を押し出し付勢する節度ばね１０９とを備える。スライドノブ１０６は上側の第１状態と下側の第２状態の間でスライド操作されて、各切換え位置において節度機構で位置保持される。スライドノブ１０６を第１状態に切換えると、連結体９５が待機位置に位置保持されて接床体９を離床位置に位置保持することができる。また、スライドノブ１０６を第２状態に切換えると、連結体９５が解除位置に切換って接床体９の下降移動を開始させることができる。他は実施例１と同じであるので、同じ部材に同じ符号を付してその説明を省略する。以下の実施例においても同じとする。
【００７１】
戸パネル２が開放された状態においては図１４に示すように、スライドノブ１０６は上側の第１状態に切換えられており、接床体９を離床位置に位置保持している。この状態の戸パネル２を閉じ切った状態で、スライドノブ１０６を第２状態に押し下げ操作して連結体９５を解除位置に切換えると、平行リンク機構２３の下降移動を開始させて、接床体９をゆっくりと下降移動させながら床面Ｆに接床させることができる。戸パネル２を再度開放する場合には、まずスライドノブ１０６を上側の第１状態に切換えて、伝動ロッド９７およびナット体１０１を上昇させ、ナット体１０１の上面がガイド溝１００の上端に接当する状態で接床体９を上向きに同行移動させる。これにより、接床体９は手動切換え機構９６で吊持され、平行リンク機構２３は、接床ばね２４の付勢力に抗して上方姿勢に切換えられる。
【００７２】
上記のように構成した手動切換え方式のトリガー機構１１によれば、戸パネル２の閉じ動作に連動してトリガー機構１１を自動的に切換える自動切換え方式のトリガー構造に比べて、トリガー機構１１の構造を著しく簡素化して、隙間遮蔽装置をより低コストで提供できる。また、手動切換え機構９６の操作具１０６を切換え操作して始めて、平行リンク機構２３の下降移動を開始させることができるので、適正な使用法に従う限り、接床体９が戸パネル２に引摺られるのを確実に解消できる。
【００７３】
節度機構が節度凹部１０７と節度突起１０８と節度ばね１０９とで構成されたトリガー機構１１によれば、操作具１０６が第１状態と第２状態に切換え操作されるのに連動して節度凹部１０７と節度突起１０８を係合させて、操作具１０６が第１状態および第２状態において不用意に切換え操作されるのを防止できる。また、上方姿勢に保持された平行リンク機構２３が、外力や衝撃を受けて下降移動しようとすることを節度機構で防止できる。
【００７４】
（実施例３）  図１５ないし図１７は本発明の実施例３に係る戸パネルの隙間遮蔽装置を示しており、実施例２のトリガー機構１１に、手動切換え機構９６の切換え動作を規制する開放規制機構を付加する点が実施例２の隙間遮蔽装置と異なる。
【００７５】
図１６に示すように開放規制機構は、戸パネル２の揺動先端側の側端で出没するラッチ体（出没体）１１２と、ラッチ体１１２を押出し付勢するプッシュばね（ばね）１１３と、ラッチ体１１２に上下貫通状に形成した長孔状の規制穴（可動規制部）１１４と、規制穴１１４に対応して伝動ロッド９７に形成される規制溝（固定規制部）１１５とを備える。規制穴１１４の前後幅は、伝動ロッド９７の直径より僅かに大きく設定されている。
【００７６】
戸パネル２が開放された状態においては、図１７に示すように、ラッチ体１１２がプッシュばね１１３で押出し付勢されて、ラッチ体１１２が戸パネル２の側端から突出し、規制穴１１４のプッシュばね１１３側の端部が規制溝１１５と係合している。そのため、スライドノブ１０６を第１状態から第２状態に押し下げ操作することはできない。また、戸パネル２が閉じ操作されると、図１６に示すように開口枠１に接当したラッチ体１１２がプッシュばね１１３の付勢力に抗して押し込み操作されて、規制穴１１４と規制溝１１５の係合が解除されるので、スライドノブ１０６を第２状態に押し下げ操作して連結体９５を解除位置に切換え、平行リンク機構２３の下降移動を開始させることができる。なお、規制穴１１４と規制溝１１５の係合が解除されるタイミングは、戸パネル２が閉じ切る前であってもよく、その場合でも接床体９をゆっくりと床面Ｆに接床できるので、接床体９が戸パネル２に引き摺られるのを解消できる。また、戸パネル２を開閉する間に誤ってスライドノブ１０６が押下げ操作されるのを確実に規制できる。
【００７７】
閉じ位置にあった戸パネル２を開放する場合には、スライドノブ１０６を第２状態から第１状態に押し上げ操作して、平行リンク機構２３を上方姿勢に切換え、接床体９を節度機構で離床位置に位置保持する。この状態で戸パネル２を開放操作すると、ラッチ体１１２がプッシュばね１１３で押出されて戸パネル２の側端から突出し、規制穴１１４が規制溝１１５と係合して、伝動ロッド９７の下降移動を規制する。従って、戸パネル２が開放された状態において接床体９が接床位置に切換え操作されて、床面Ｆに押圧された状態のままで戸パネル２に引摺られるのを確実に防止できる。
【００７８】
（実施例４）  図１８および図１９は本発明の実施例４に係る戸パネルの隙間遮蔽装置を示しており、トリガー機構１１を実施例２とは異なる手動切換え方式のトリガー構造で構成するようにした。図１８において、手動切換え機構９６は、戸パネル２に装着されるケース１０５と、ケース１０５で往復揺動可能に支持されて、第１状態と第２状態の間で切換え可能な操作具１０６と、ケース１０５で昇降可能に支持されるスライド体１１８を備えている。操作具１０６は、戸パネル２の外面に配置されるサムターン摘み（操作摘み）１１９と、ケース１０５の内部に配置されて、サムターン摘み１１９の往復揺動に連動してスライド体１１８を昇降操作するサムターンレバー（操作レバー）１２０を備えており、これら両者１１９・１２０は断面が太鼓形の連動軸１２１で連動可能に連結してある。本実施例における昇降構造１０は、実施例１の昇降構造１０と同じ状態で配置してある。
【００７９】
スライド体１１８は、上下に長い受動壁１２３と、伝動ロッド９７の上端に連結固定される連結壁１２４を一体に備えたプレス金具からなる。サムターンレバー１２０に臨む受動壁１２３の端縁の上下には、サムターンレバー１２０の先端で受止められる部分円弧状のストッパー部１２５と、サムターンレバー１２０で昇降操作されるコ字状の受動溝１２６が形成してある。また、受動壁１２３の上下には、スライドピン１２７が固定してあり、このピン１２７をケース１０５に設けた上下に長い案内溝１２８で案内することにより、スライド体１１８がケース１０５で昇降可能に支持されている。
【００８０】
サムターンレバー１２０は、連動軸１２１と係合するボス部の対向周面に切換えレバー１３０と、ばね受腕１３１を突設して形成してあり、切換えレバー１３０の先端に先のストッパー部１２５を受止めるロック面１３２が形成してある。サムターン摘み１１９およびサムターンレバー１２０を、実線で示す第１状態と想像線で示す第２状態において位置保持するために、ケース１０５とサムターンレバー１２０との間に、キックばね１３３からなる節度機構を設けている。キックばね１３３は捻じりコイルばねで形成されており、一対のばね腕の端部に円形の係止リング１３４を形成し、係止リング１３４の一方をケース１０５に固定したピン１３５に係合し、他方の係止リング１３４をばね受腕１３１に固定したピン１３５に係合してある。サムターン摘み１１９およびサムターンレバー１２０を第１状態に切換えると、連結体９５が待機位置に位置保持されて接床体９を離床位置に位置保持することができる。また、各切換え位置において節度機構で位置保持される。サムターン摘み１１９およびサムターンレバー１２０を第２状態に切換えると、連結体９５が解除位置に切換って接床体９の下降移動を開始させることができる。
【００８１】
戸パネル２が開放された状態においては図１８に示すように、サムターン摘み１１９は第１状態に切換えられており、接床体９を離床位置に位置保持している。この状態の戸パネル２を閉じ切った状態で、サムターン摘み１１９を反時計回転方向へ揺動操作して第２状態に切換え操作すると、スライド体１１８の受動溝１２６が切換えレバー１３０で下降操作されて、連結体９５が解除位置に切換わる。これに伴い平行リンク機構２３の下降移動を開始させて、接床体９をゆっくりと下降移動させながら床面Ｆに接床させることができる。戸パネル２を再度開放する場合には、まずサムターン摘み１１９を時計回転方向へ揺動操作して第１状態に切換え、スライド体１１８の受動溝１２６を切換えレバー１３０で上昇操作し、連結体９５を待機位置に切換えて、図１９に示すように、伝動ロッド９７およびナット体１０１を上昇させ、ナット体１０１の上面がガイド溝１００の上端に接当する状態で接床体９を上向きに同行移動させる。これにより、接床体９は手動切換え機構９６で吊持され、平行リンク機構２３は、接床ばね２４の付勢力に抗して上方姿勢に切換えられる。
【００８２】
上記のように構成した手動切換え方式のトリガー機構１１によれば、戸パネル２の閉じ動作に連動してトリガー機構１１を自動的に切換える自動切換え方式のトリガー構造に比べて、トリガー機構１１の構造を著しく簡素化して、隙間遮蔽装置をより低コストで提供できる。また、手動切換え機構９６の操作具１０６を切換え操作して始めて、平行リンク機構２３の下降移動を開始させることができるので、適正な使用法に従う限り、接床体９が戸パネル２に引摺られるのを確実に解消できる。さらに、サムターン摘み１１９を揺動操作することで、連結体９５を待機位置と解除位置に切換えることができるので、操作具１０６を上下にスライド切換えする場合に比べて、サムターン摘み１１９の切換えを簡便に行える。さらに、節度機構をキックばね１３３で構成するので、実施例２で説明した節度機構に比べて、節度機構の構造を簡素化して低コスト化に寄与できる。
【００８３】
（実施例５）
トリガー機構１１は、自動切換え方式のトリガー構造と、手動切換え方式のトリガー構造を備えている。自動切換え方式のトリガー構造は、リンク保持機構１１Ａとリンク解除機構１１Ｂを備えている。手動切換え方式のトリガー構造は、接床体９の一側に固定される連結体９５と、戸パネル２に設けられる手動切換え機構９６と、手動切換え機構９６の切換え動作を連結体９５に伝える伝動体９７とを備えている。
【００８４】
自動切換え方式のトリガー構造と、手動切換え方式のトリガー構造を備えた隙間遮蔽装置によれば、戸パネル２が開放された状態において、手動切換え方式のトリガー機構１１のサムターン摘み１１９を第１状態に切換えておくことにより、戸パネル２が閉じ操作された状態であっても、接床体９を離床位置に位置保持することができる。また、戸パネル２を閉じ操作したのち、サムターン摘み１１９を第２状態に切換えることにより、接床体９を床面Ｆに対してゆっくりと接床させることができる。さらに、サムターン摘み１１９が第２状態に切換えられた状態のままで、戸パネル２が開放操作されると、自動切換え方式のトリガー機構１１が作動して接床体９を離床位置まで上昇移動させることができる。このときの連結体９５の上昇移動動作は、ナット体１０１とガイド溝１００が相対スライドすることで吸収される。上記のように、手動切換え方式のトリガー機構１１のサムターン摘み１１９が第１状態に切換えられた状態では、戸パネル２の開閉動作に連動した自動切換え方式のトリガー機構１１の切換え動作が無効化される。そのため、戸パネル２で開閉される部屋の用途に応じて、音漏れや光漏れを防ぐ必要がある場合と、その必要がない場合とで、隙間遮蔽装置の状態を切換えて、接床体９が床面Ｆに対して不必要に接床操作されるのを解消できる。
【００８５】
上記の実施例以外に、閉じ検知体７８は出没可能なロッドや、揺動しながら出没するレバーなどで構成することができ、必要があれば開口枠１の側に閉じ検知体７８を設けてもよい。昇降機構２３は平行リンク機構である必要はなく、少なくとも接床体９を昇降移動できる機構であればよい。ダンパー２５は、シリンダー型のオイルダンパーである必要はなく、シリンダー型のエアーダンパーであってもよい。接床ばね２４は、ダンパーホルダー５０とスライダー２７の間に設ける必要はなく、接床体９とガイド枠８の間に設けてあってもよい。その場合の接床ばね２４は圧縮ばねで構成する。
【００８６】
実施例１の隙間遮蔽装置では、第２スライド枠７７を第１スライド枠６１に対して空走させて昇降機構２３の下降開始タイミングを遅延させ、さらに、下降移動する昇降機構２３の移動速度をダンパー２５で減速して、接床体９の接床タイミングを遅延させるようにしたが、その必要はない。例えば、リンク保持機構１１Ａとリンク解除機構１１Ｂの間に設けられる遅延構造と、平行リンク機構２３の下降動作を制動するダンパー（遅延構造）２５の、少なくともいずれか一方が隙間遮蔽装置に設けてあれば足りる。本発明に係る隙間遮蔽装置は、開き戸以外に引き戸の戸パネルや間仕切パネルに適用することができ、その場合の閉じ検知体７８は、戸パネルや間仕切パネルの閉じ端側に設けてあればよい。
【符号の説明】
【００８７】
１  開口枠
２  戸パネル
８  ガイド枠
９  接床体
１０  昇降構造
１１  トリガー機構
１１Ａ  リンク保持機構
１１Ｂ  リンク解除機構
１５  接床枠
１６  シール体
１７  装着溝
２１  装着リブ
２３  昇降機構（平行リンク機構）
２４  接床ばね
２５  ダンパー
２６・２７  スライダー
２８  上リンク
２９  傾斜リンク
３０  下リンク
４０  ローラーアーム
４１  昇降ローラー
４３  吊持ピース
４７  連結溝
５０  ダンパーホルダー（ホルダー体）
５６  ガイド溝
６０  トリガーベース
６１  第１スライド枠（第１作動体）
６２  係合ピン
６３  トリガー爪
７７  第２スライド枠（第２作動体）
７８  閉じ検知体
７９  復帰ばね
８３  長穴（スライド穴）
８４  起動腕
８５  ピン（ガイドピン）
９５  連結体
９６  手動切換え構造
９７  伝動体（伝動ロッド）
１０５  ケース
１０６  操作具（スライドノブ）
１０７  節度凹部
１０８  節度突起
１０９  節度ばね
１１２  出没体（ラッチ体）
１１３  ばね（プッシュばね）
１１４  可動規制部（規制穴）
１１５  固定規制部（規制溝）
Ｆ  床面
【図１】
2019105028.tif 000003
【図２】
2019105028.tif 000004
【図３】
2019105028.tif 000005
【図４】
2019105028.tif 000006
【図５】
2019105028.tif 000007
【図６】
2019105028.tif 000008
【図７】
2019105028.tif 000009
【図８】
2019105028.tif 000010
【図９】
2019105028.tif 000011
【図１０】
2019105028.tif 000012
【図１１】
2019105028.tif 000013
【図１２】
2019105028.tif 000014
【図１３】
2019105028.tif 000015
【図１４】
2019105028.tif 000016
【図１５】
2019105028.tif 000017
【図１６】
2019105028.tif 000018
【図１７】
2019105028.tif 000019
【図１８】
2019105028.tif 000020
【図１９】
2019105028.tif 000021